(57)【要約】  ウォブルアクション人形であって、プリントが付され、成形されたボディと、それに固着されたイメージを含む。イメージは、デジタル写真により自由に設定できる。イメージは、組み立て部品を介して人形のボディに固定される。組み立て部品には、スプリングを含み、スプリングは少なくとも１つの基板に垂直に取り付けられ、イメージは、ボディに対しユニークな振る動きを行う。【特許請求の範囲】
【請求項１】
イメージ用の組み立て部品であって、
第１組み立て基板と、
前記第１組み立て基板に第１端部が固定され、第１組み立て部品に対し、実質垂直方向に設けられたスプリングと、
第１組み立て基板に固定されたイメージと
を有することを特徴とするイメージ用の組み立て部品。
【請求項２】
さらに、前記スプリングの第２端部に固定され、スプリングに対し実質垂直方向に設けられた第２組み立て基板を有することを特徴とする請求項１記載の組み立て部品。
【請求項３】
さらに、前記スプリングを第１組み立て基板に取り付けるためのスプリング台座を有することを特徴とする請求項１記載の組み立て部品。
【請求項４】
前記スプリング台座は、エポキシ樹脂で構成されていることを特徴とする請求項３記載の組み立て部品。
【請求項５】
前記イメージは、写真であることを特徴とする請求項１記載の組み立て部品。
【請求項６】
さらに、スプリングの第２端部に固定され、スプリングに対し、実質垂直になるように設けられた磁石を有することを特徴とする請求項１記載の組み立て部品。
【請求項７】
さらに、スプリングの第２端部に設けられたボタン用シュラウドを有することを特徴とする請求項１記載の組み立て部品。
【請求項８】
さらに、スプリングの第２端部に設けられたスナップ部品を有することを特徴とする請求項１記載の組み立て部品。
【請求項９】
さらに、スプリングの第２端部に設けられた吸着部品を有することを特徴とする請求項１記載の組み立て部品。
【請求項１０】
さらに、スプリングの第２端部に設けられ、音声又は画像の少なくともいずれか一方を出力するマイクロチップを有することを特徴とする請求項１記載の組み立て部品。
【請求項１１】
イメージ用の組み立て部品であって、
カムハウジング内に納められると共に、カムハウジングの第１側部から一部が突出するカムと、
カムハウジングから突出するカムの一部に固着された組み立て基板と、
カムハウジングの第２側部に固定されたイメージと
を有することを特徴とするイメージ用組み立て部品。
【請求項１２】
前記カムハウジングには、ハウジングの第１側部に湾曲スロットが形成され、湾曲スロットからカムの一部が突出することを特徴とする請求項１１記載の組み立て部品。
【請求項１３】
さらに、組み立て基板とカムの突出部を連結する振り子を有することを特徴とする請求項１１記載の組み立て部品。
【請求項１４】
前記振り子は、そのピボット点において、スプリングで付勢されていることを特徴とする請求項１１記載の組み立て部品。
【請求項１５】
ウォブルヘッド人形であって、
ボディと、
ボディの垂直面に対し直角に延在する少なくとも１つのスプリングを介してボディに取り付けられる少なくとも１つのイメージと
を有し、イメージは時計方向または反時計方向に回動可能に設けられたことを特徴とするウォブルヘッド人形。
【請求項１６】
前記ボディは、イメージが貼り付けられた板紙で構成されていることを特徴とする請求項１５記載のウォブルヘッド人形。
【請求項１７】
前記少なくとも１つのイメージは、写真であることを特徴とする請求項１５記載のウォブルヘッド人形。
【請求項１８】
さらに、ボディを保持するためのベースを有することを特徴とする請求項１５記載のウォブルヘッド人形。
【請求項１９】
前記ベースの上部には、ボディの下端部と係合するスロットが形成されていることを特徴とする請求項１８記載のウォブルヘッド人形。
【請求項２０】
前記ベースは、ウォブルヘッドを回転されるためのターンテーブル部を有することを特徴とする請求項１８記載のウォブルヘッド人形。
【請求項２１】
前記ターンテーブル部は、少なくとも、バッテリパワー、太陽電池のパワー、磁気によるパワー、電気によるパワー、マイクロチップによるパワー、手動によるパワーのいずれか１つにより駆動されることを特徴とする請求項２０記載のウォブルヘッド人形。
【請求項２２】
前記ボディの垂直面に対し直角に延在する少なくとも２つのスプリングを介して、それぞれボディに取り付けられる少なくとも２つのイメージを有することを特徴とする請求項１５記載のウォブルヘッド人形。
【請求項２３】
ウォブル物体を組み立てるためのキットであって、
所望のイメージを印刷する紙と、
イメージの裏面が固着される組み立て部品と
を有し、
該組み立て部品は、少なくとも１つの組み立て基板と、組み立て基板に対し実質垂直方向に設けられた少なくとも１つのスプリングとを有することを特徴とするキット。
【請求項２４】
さらに、前記組み立て部品とイメージを取り付けるために少なくとも１つのボディまたは背景を有することを特徴する請求２３に記載のキット。
【請求項２５】
さらに、ボディまたは背景を保持するためのベースを有することを特徴とする請求項２３に記載のキット。
【発明の詳細な説明】
【技術分野】
【０００１】
本願は２００３年４月１５日に出願したアメリカ仮特許出願番号６０／４６２，９３１の利益を享受するものである。
【０００２】
本発明は立像型玩具に関し、さらに詳しくは設計自在なウォブル（首振り）人形に関する。
【背景技術】
【０００３】
首振り人形は広く知られた立像型玩具であり、嵌め込まれたヘッドが動くことを特徴とする。多くの場合、ヘッドはスプリングに接続され、限られた方向に自在な動きをすることを特徴とする。この動きはしばしばボビングまたはボブリング（首振り）と呼ばれる。
【０００４】
首振り人形の典型的な例は陶器、樹脂、またはプラスチックで形成された固定のボディ部とそこに嵌め込まれたヘッドからなり、種々のスター（例えば、スポーツ選手、俳優、歌手、歴史的人物）に似せた個性的な特徴を有するものである。立像型玩具の動きは、垂直方向に設けられたスプリングによって生み出され、そのスプリングは中空の首振りヘッドに内蔵されて、または首の部分として構成される。首振り人形の最近の傾向としては、顔面部にプラスチックで形成されたポートレート枠を含むものがある。
【発明の開示】
【０００５】
発明の基本概念の理解を助けるため、以下に本発明の概要を説明する。この概要は発明の全てを包含するものではない。また、発明の骨子または必須要件を特定したり、発明の範囲を特定するものでもない。これは発明を単に簡単に説明するためのものであって、後で説明する詳細な説明のプレリュードのようなものである。
【０００６】
本発明の１つの観点によれば、イメージのための組立部品が提供される。組立部品は、第１基板と、第１基板に固定されたスプリングが含まれる。スプリングは、固定用の基板に対して実質的に垂直方向に設けられている。設計自在なイメージは第１基板に固定される。
【０００７】
本発明の別の観点によれば、イメージのための組立部品が提供される。組立部品はカムハウジンク内に設けられたカムを含み、カムの一部はカムハウジングの第１側部から突出し、カムハウジングから突出するカムの一部に連結される基板と、カムハウジングの第２側部に固定されたイメージを有する。
【０００８】
本発明のさらに別の観点によれば、首振り人形であって、ボディ部と、ボディの垂直面とイメージの垂直面との間に実質的に垂直方向に延在する少なくとも１つのスプリングを介してボディに接続された少なくとも１つのイメージからなり、そのイメージは軽く触るだけで運動可能とし、慣性によりヘッドまたはイメージがウォブルまたは首振り動作を継続して行うものである。
【０００９】
本発明のさらに別の観点によれば、ウォブル物体を創作するキットを提供するものである。このキットには、所望のイメージを描く紙と、イメージの裏側に固定される組立部品とが含まれる。組立部品は、少なくとも１つの組立基板と組立基板に対し実質的に垂直方向に固定可能な少なくとも１つのスプリングを含む。
【００１０】
以下の説明および図面は本発明の種々の観点を表すものである。これらの観点は本発明を例示的に示すものであり、この観点およびそれらの同等物は全て本発明に含まれるものである。以下の説明および図面により、本発明の他の目的や利点や新規な構成が明確になるであろう。
【発明を実施するための最良の形態】
【００１１】
本発明は設計自在なウォブルヘッドを組み立てるためのウォブルヘッドおよびそのキットに関する。以下、本発明を、図面を用いて説明するが、同様な部品に対しては同様な参照符号が付されている。種々の図面において縮尺は統一されたものではないし、各部品のサイズは図面を見やすくするために任意に書かれたものである。以下の説明において説明を理解しやすくするため種々の部品について詳細に説明する。しかし、これらの詳細な説明は一例であって、必ずしも本発明を限定するものではない。従って、公知の部分や構造については単にブロックで示し、その詳細は省略する。
【００１２】
図１は本発明に係るウォブルヘッドの組立部品１０の一例を示す。組立部品１０は第１基板１２とスプリング１４を含む。スプリング１４の第１端は少なくとも１つのスプリング台座１６を介して第１基板１２に接続されている。第１基板１２は例えば薄い紙、プラスチック、板紙、または他の板状構造物であって、第１面と第２面を有するもので構成される。第１面は接着剤を用いて写真（図示せず）を貼り付けるための面である。接着剤は基板１２の第１面に予め設けておくことでき、さらにその表面にフィルムを付着させておき、使用前にそのフィルムを取り外し可能となるように構成することも可能である。別の手段として、第１基板１２に付着される写真は磁石またはファスナー（例えば、フックおよびループで構成されるファスナー）、吸盤状のもの、または他の接着または付着効果のあるものを用いることも可能である。スプリング１４の第１端は第１基板１２の第２面に対し、図２に示すように実質垂直な状態で設けられている。スプリング台座１６は例えばエポキシ樹脂で構成され、基板１２にスプリング１４を強固に保持し、たとえ第１基板１２が揺動されても第１基板１２とスプリング１４が外れることはない。
【００１３】
さらに組立部品１０はマイクロチップ１７を含むことができる。マイクロチップ１７はスプリング１４と接続される。この場合、スプリング１４の第２端にスプリング台座を介して接続される。接着剤１８または同等のものを用いてマイクロチップを適当な表面に固定する。マイクロチップ１７は組立部品１０に固定されたイメージに対し、音声反応や音声出力を提供することができる。従ってウォブル組み立ては、例えば予め記録されたまたは記録できる挨拶文、動物の鳴き声（犬の鳴き声や猫の鳴き声）、車の警笛、音楽などを含むことができ、これらは、バッテリー、マイクロチップ、または太陽電池を用いて動作させることができる。
【００１４】
図３において、組立部品１０は第２スプリング台座２０を介してスプリング１４の第２端部に接続される第２基板１９を含むことができる。別の構成として、もしマイクロチップ１７が用いられておれば、第２基板１９はマイクロチップ１７に接続することができる。第１基板１２と同様、第２基板１９も接着剤、ファスナー等を用い、第２基板１９は組立部品１０を背景に組み込むようにすることができる。
【００１５】
例えば、図４および図５に示すように、組立部品１０はボディ２４に写真を組み込んだヘッド２２を設けるようにすることができる。ヘッド２２は高解像度のデジタル写真を、厚い光沢のある写真用紙または他の適当な材料に貼り付けて用ることができる。ヘッド２２には特定の人物（例えば作者自身、家族の一員、友達、セレブの人間）またはペット（例えば犬、猫）を表したものとすることができる。ボディ２４は硬く圧縮された板紙、プラスチック、金属、木材等で構成することができ、カラーで印刷されたイメージとして、例えば、運動選手（例えばテニスプレイヤー、アイススケート選手、スケートボード選手、競輪選手、バスケットボール選手）や放送関係者、女優または男優、歌手など、またはスポーツカーやモーターボートなどの無生物をカラーで印刷したイメージであってもよい。ベース２６にはスロット２８が形成され、そのスロット２８にボディ２４が保持される。ベース２６はプラスチック、木材、金属または他の適当な材料で構成することができる。
【００１６】
ボディ２４にヘッド２２が接続されれば、ヘッド２２はスプリング１４を介してボディに対しウォブル（首振り）を行うことができる。ヘッド２２のウォブル動作はスプリング１４の長さ、材料およびワイヤーの直径に依存する。例えば、スプリング１４は平坦な端部を持つ圧縮スプリングであって、メッキされたミュージックワイヤーであってもよい。この場合、遊び長さは０．６２５インチ（１．５８７５センチ）、外径は０．０１８０インチ（０．０４５７２センチ）、内径は０．１８８インチ（０．４７７５２センチ）、ワイヤーの直径は０．０１２インチ（０．０３０４８センチ）、負荷は０．６９ポンド（０．３１２９７８６キログラム）、スプリングビスは１．３ポンド（０．５８９６６９９キログラム）、圧縮したときの高さは０．０９９インチ（０．２５１４６センチ）のものであってもよい。さらに、ボディ２４に対しヘッド２２は実質的に垂直に設けられているので、ヘッド２２は独特の一方向の首振り動作を行い、それは３０秒またはより長い時間継続させることができる。ヘッド２２のウォブルアクションはスプリング２４がピボット点として機能した場合、時計方向および反時計方向の動きを行う。なお、このウォブル動作はいろんな対象物を動かすことができる。例えば、組立部品１０を介してボディにハンド（手）を取り付け、手を振る動作を与えることも可能である。組立部品に接続できる他の対象物の例として、例えば回転する道具、食品（コーヒーまたはティーカップ、ソーダまたはビールの缶、ドーナツ、アイスクリーム、クッキー、ホットドッグ、ハンバーガー）などや、本、花、ギフト、ブランド物、例えばＣＯＫＥ（登録商標）、ＳＮＩＣＫＥＲＳ（登録商標）などであり、宣伝用として用いることも可能である。
【００１７】
別の例として、図６、図７に示すウォブルヘッド人形２６であってもよい。このウォブルヘッド人形２６は第１スプリング３２を介してボディ３０、ヘッド２８が設けられ、ヘッド２８にウォブル動作させる。人形２６はさらに第２物体を含み、この場合第２スプリング３６を介してボディ３０に接続された聖火３４を含み、この聖火に対してもウォブル動作を与えることができる。さらにスペーサ３８が設けられ、第２物体またはイメージにウォブルまたは振る動作をするための余裕のある空間を提供することができるようにすると共に、ウォブルヘッド人形２６自身にも余裕のある空間を与えるようにしている。人形２６は、図４および図５で説明した方法と同様の方法でベース４０に保持されている。
【００１８】
図８〜図１２は種々のボディや背景を示し、それらはウォブルヘッド組立部品１０およびヘッド２２と組み合わせて用いることができる。ボディは光沢のあるカラープリントまたは黒白のイメージで構成することができ、それらは種々の材料、例えば板紙、発泡スチロール、プラスチック、金属、木材などの材料で構成されたものに取り付けることができる。ボディのポーズはイメージに関連した１つの動作をさらせることができる。ポーズはどのようなサイズであってもよく、取らせたポーズの形にもよるが、スタンダードなモデルの大きさは１４インチ（３５．５６センチ）程度まで可能である。なお、ボディは予めプリンとされていたり、成形されていたり、どのような形のスタイルであってもよく、厚みやサイズや材料は自由に決めることができ、これらはいずれも本発明の範囲に含まれるものである。
【００１９】
上述したごとく、ボディおよび／または背景はベースのスロットにボディの下部を挿入することにより保持される。例えばベースは４インチ×５インチ×３／４インチ（１０．１６センチ×１２．７センチ×１．９０５センチ）の大きさの黒いガータフォーム（ガータ発泡材）で構成することができ、該ベースは表面処理がなされ、強度および耐年性を向上させることができる。ベースに形成されたスロットはボディまたは背景部品の厚みに対応し、スロットにウォブルヘッド人形を圧入することを可能とする。全体のサイズを変えたり、追加のスロットを設けることにより、ベースは複数の像、背景、宣伝文句、などの基板とすることができる。スロットの大きさは適宜決めることができ、また水平方向、垂直方向および／または斜め方向にベース上に設けることができる。さらに、ベース部材の側部に少なくとも１つの凹部（図示せず）と少なくとも１つの凸部（図示せず）を形成することにより、２つもしくはそれ以上のベースを連結させることができる。ベースは適当な形状で構成することにより複数のベースを互いに連結させることも可能である。
【００２０】
図１３〜図１６は本発明に係る１つまたは複数のウォブルヘッド人形を組み立て可能な種々のベースの例を示したものである。図１３は１つのウォブルヘッド人形を組み立てるための１つのスロット４４がベース４２の表面に切取りまたは形成によって作られた図である。２つのウォブルヘッド人形を相前後して、または２つのウォブルヘッド人形であって異なった高さのもの（例えば男の子といる）を搭載するためのベース４６であって、２つのスロット４８が形成されたものが図１４に示されている。別の例として、図１５は背景のためのスロット５２と１つまたは複数のウォブルヘッド人形のための１つまたは複数のスロット５４が形成されたベース５０が示されている。従って、ベース５０は音楽のグループ、映画の一シーン、スポーツチーム、漫画の登場人物などを表すのに用いることができる。さらに別の例として、階段状のベース５６であって複数の段を有するものが示されており、各段においてはスロット５８が形成され、そこに１つまた複数のウォブルヘッド人形が搭載される。階段状のベース５６はスポーツチームや会社の従業員、学校の同級生、歴代の大統領などを表示または展示するのに用いることができる。
【００２１】
図１７および図１８は本発明に係るベースおよびウォブル部品を用いて異なったシーンを構成することをできる例を示したものである。複数の背景および複数のウォブルヘッド人形はベースに設けられ、さらに複数のウォブル部品はベースの複数の面に設けることも可能である。ウォブル部品および／または背景イメージはベースに対して動きうる状態で設けることも可能であり、これについては後で詳述する。例えば、図１８に示すように、ベースに対して前、後方向に動くように車が搭載され、あたかも車がレーストラック上を走行しているような視角的効果を与えることができる。
【００２２】
図１９は両面加工された背景６２がベース６０の中央スロット６４に圧入された例が示されており、２つまたはそれ以上のウォブルヘッド人形を背景６２のいずれか一方の面の側のスロット６６に挿入することができる構成となっている。図２０は多面背景構造７０を搭載したベース６８が示されている。背景構造７０の一面の前に形成されたスロット７２には１つまたは複数のウォブルヘッド人形を挿入することができる。ベースの形状は種々のものが考えられ、種々の形状を有する任意の数のスロットを設けることができ、これらはいずれも本発明に含まれるものである。
【００２３】
図２１および図２２は１つまたはそれ以上のウォブルヘッド人形７８を受けるためのベース７４が示されている。ベース７４であって本発明の別の実施の形態のものが示されている。ベース７４は１つまたは複数のターンテーブル部７６を有し、それらは搭載されたウォブルヘッド人形７８を時計方向または反時計方向に回転可能に保持する。回転によりウォブルヘッド人形のヘッドのウォブル動作および／または他の特徴が発揮される。各ターンテーブル７６の表面には少なくとも１つのスロット７７が形成され、ウォブルヘッド人形７８を保持する。ターンテーブル７６の下部においては、複数の歯車の歯が外周面に沿って形成されている。従って、２つまたはそれ以上のターンテーブル７６が用いられる場合、ターンテーブル７６のそれぞれは互いに連結し合うので、１つのターンテーブル７６にだけ動力を与えることにより、全てのターンテーブルを効率よく回転することができる。電池８１または他の適当なパワーソース、例えば太陽電池、磁石、電気、マイクロチップ等を用いてターンテーブル７６を駆動することができる。１つの形態として、ターンテーブル７６はクランク構造または同等な構造により手動によって駆動することも可能である。
【００２４】
図２３および図２４は本発明の別の実施の形態に基づくベース８２であって、１つまたは複数のウォブルヘッド人形を回転するためのものが示されている。ベースの表面には少なくとも１つのスロット８４が形成され、ベースの下部には円周凹部８６が形成されている。スロット８４は１つまたは複数のウォブルヘッド人形を保持するためのものである。ベース８２の下部に形成された円周凹部８６はシリンダ状の支持体８８に係合され、支持体８８に対し自由に回転可能に設けられている。これによりウォブルヘッド人形を回転させたり、ヘッドおよび／または他の特徴部についてウォブル動きを行なわしたりすることが可能となる。
【００２５】
図２１から図２４で説明した回転可能なベースは種々の形状のベースまたは回転部を設けることが可能である。たとえば、ベース７４は両面に形成された背景画または下面に形成された背景画であってかつまたはそれ以上のオーブル人形を有するターンテーブル部を含む構成であって、図１９および図２０で説明したものと同様なものを含むことが可能である。
【００２６】
図２１から図２４で示した回転部材または他の部材においては、表面および裏面の両方にウォブルヘッド人形が描かれたものが好ましい。図２５はウォブルヘッド人形９０であってボディ部９２と第１面９４と第２面９６を有するものが示されている。第１面９４にはボディの正面のイメージがプリントされている。同様に第２面９６にはボディの裏面のイメージがプリントされている。ボディ９２のヘッド部、または他の部分において、第１および第２の組立て部品９８、１００がそれぞれボディの第１面９４および第２面９６に保持されている。第１組立て部品９８には顔のイメージ１０２が形成されている一方、第２組立て部品９６には頭の後ろのイメージ１０４が形成されている。したがって、ウォブルヘッド人形９０がベース１０６によって回転すると、利用者は人形９０の表のイメージと後のイメージを見ることができる。なお、別の構成として、人形はいずれも表のイメージであっていずれも顔のイメージであるように構成することも可能である。
【００２７】
ウォブルヘッド人形を回転させるための回転部材を有する種々のベースを説明したが、ベースはさらにはねたり、前後動したりスライドしたり一つまたは複数のウォブルヘッド人形を動かしたりすることができるような構成とすることも可能である。たとえば、図２５から図２８はウォブル部品１０６を示し、それは可動式ウォブルヘッド１０８を揺動式部材と共に設けた例が示されている。揺動部材はバッテリー駆動のカム１１０と歯車駆動のラック１１２によって与えることができる。ウォブル部品１０８は一つまたは複数のスロットを有するベース１１４を含む。この例においては、ベース１１４は三つのスロット１１６、１１８、１２０を有する。スロット１１６、１２０はそれぞれ固定の前方面１２２と固定の背景面１２４を保持する。スロット１１８はスロット内に形成されたトラック部１２６を有し、移動体１３０の中またはその上に形成されたホイール１２８の歯と係合するように構成されている。したがって、移動体１３０はスロット１１８の長手方向に移動可能である。スロット１１８の両方の終端にはバンパー１３６が設けられ、移動体１３０がトラック１２６からはみ出すのを防止する。移動体１３０は第１突出部１３２を含みそこにウォブルヘッドボディまたはウォブル車両を保持できるようにする。第１突出部１３２はウォブルヘッドボディまたは車両のピボット軸として利用することも可能である。移動体１３０のホイール１２８は第２突出部１３４を含み、第２突出部１３４はホイール１２８がトラック１２６の動きに合わせて回転運動を行なう。可動式ウォブルヘッド１０８の一部は第２突出部１３４の上に配置することができる。したがって、第２突出部１３４が回転運動を行なえば、ウォブルヘッドボディまたは車両の端部は揺動すると共に第１突出部１３２に対してピボット運動を行なう。ホイール１２８の動きはバッテリー駆動および／または手動で駆動させることが可能である。
【００２８】
ウォブルヘッドの組立て部品に設けたマイクロチップの代わりにまたは追加してベースに音声駆動型およびオーディオ出力型のマイクロチップを含めることが可能である。したがって、ウォブルヘッド組立て部品に予め記録された、または記録可能な挨拶や動物の鳴き声（たとえば犬の鳴き声または猫の鳴き声）や、車の警笛や音楽等を記録することができる。
【００２９】
以上の説明ではウォブルヘッドはボディまたは背景イメージに固定する構造であったが、ウォブルヘッドに磁石、吸盤、フックとループのファスナー、安全ピン、リベット、ボタン、他の適当な固着装置などを設け、ウォブルヘッドを衣類、広告品、コンピュータ、事務用品、家具、車、窓、鏡、掲示板、黒板、その他の適当な部材や、構造物に付着するように構成することも可能である。図３０から図３３はウォブルヘッドを種々の材料や、構造体に付着するための組立て部品を示すものである。図３０は本発明に基づき、ボタン式組立て部品１３８を示す。ボタン式組立て部品１３８はスプリング１４４を介してボタンシュラウド（覆い物）１４２に接続された基板１４０を含む。スプリング１４４はエポキシ樹脂（図示せず）を介してボタンシュラウド１４２および基板１４０に固着される。したがって、イメージを基板１４０に付与することができ、構造物全体を服の部分にボタンを介して固着することができる。
【００３０】
図３１はスナップ式組立て部品１４６を示し、それはウォブルヘッドを服、帽子、アクセサリー等に固着することができる。スナップ部品１４６は第１基板１４８を含み、その面に写真や他のイメージを付着する。第１基板１４８はスプリング１５０の第１端に接続され、写真またはイメージにウォブル動作を与える。第１スナップ部１５２はスプリング１５０の第２端に接続され第２スナップ部１５４と結合する構成を有する。したがって、スナップ部品１４６は第２スナップ部１５４を衣類の部分の一方の面に配置し、第１スナップ部１５２を衣類の他方の面に配置させ、ウォブル部品を衣服に付着させることができる。第１、第２スナップ部１５２、１５４に磁石を設けスナップ部品１４６の結合を容易にすることができる。
【００３１】
図３２はウォブルヘッドを装飾品や車両などに付着させるための磁石部品１５６を示す。磁石部品１５６は第１基板１５８を含み、そこに写真や他のイメージを付着させる。第１基板１５８はスプリング１６０の第１端に接続され、写真やイメージにウォブル動作を与える。スプリング１６０の第２端には磁石１６２が付着され、ウォブルヘッド部品を金属面に付着可能にしている。
【００３２】
図３３はウォブル部品を種々の場所に付着可能な吸盤部品１６４を示す。吸盤部品１４６は基板１６６を含み、そこに写真や他のイメージ１６７を付着させる。基板１６６はスプリング１６８の第１端に接続され、写真またはイメージ１６７にウォブル動作を与える。吸盤１７０はスプリング１６８の第２端に固定されている。したがって、ウォブル体は鏡、窓、装飾品、伝言板、コンピュータなどに付着させることができる。室内での動き、そよ風、振動等によりウォブル部品にウォブル動作を与えることができる。
【００３３】
図３３は本発明に基づき、ウォブルヘッド用の湾曲カム１７２が示されている。湾曲カム１７２はカムとスロットとを含みこれらは付着されたウォブルヘッドが捻る動作を行なうように構成されている。基板１７４は、少なくとも一つの突出部１７６の端部に係合され、少なくとも一つの突出部１７６の後に、ここでは好ましくは二つの突出部であって、カムハウジング１８０の第１面に設けたスロット開口１７８を貫通した突出端に、接続されている。したがってカムハウジング１８０は基板１７４に対してスロット開口１７８に案内されるように係合する。この後においては、スロット開口１７８は湾曲になっており、捻り動きを与えるように構成されている。写真またはイメージ１８２がカムハウジングの第２面に接着剤、ファスナーまたは他の接着手段により固着されている。
【００３４】
図３４および図３５は、本発明の別の実施の形態に基づき、ウォブルヘッド用の振り子組み合わせ部品１８４が示されている。振り子組み合わせ部品１８４はカム１８８に接続された振り子１８６を有し、カム１８８はカムハウジング１９０に形成したスロット開口１８９内に延在する。スロット開口１８９は振り子１８６の自由端に付着された写真またはイメージ１９２にウォブルモーションを与える。振り子のピボット点１９４においてバネ力を与えることにより振り子１８６をバネ力で振らすことができる。したがって、振り子１８６を一方の方向に引っ張ると他方への方向に振られる動作を発することができる。
【００３５】
バッテリで駆動されるウォブルヘッドの動きの例として、音声による駆動式、動きによる駆動式の他、所定の時間間隔をあけてウォブル動作を行ったり、定期的にウォブル動作を繰り返すようにプログラムすることも可能であり、および／または手動により駆動開始することなどが可能である。
【００３６】
図３７から図４６に示すようにウォブルヘッドの概念は種々の異なった用途に用いることができる。図３７から図３９は挨拶カードに可動式ウォブル構造が用いられた例を示す。挨拶カードは基本的な折り畳み形状１９６（図３７）や写真立て形状１９８（図３８）で提供することが可能である。折り畳み形状の場合は、５インチ×７インチ（１２．７センチ×１７．７８センチ）のイメージをベース２００として用いることができる。写真立て形状１９８においては写真をベース２０２として用いることができる。ベース２００、２０２には組立て部品（図示せず）を介してウォブルイメージ２０４が設けられている。もし必要であれば、ベース２００、２０２とウォブルイメージ２０４との間に着脱可能な接合材（図示せず）を付与して、スプリングを圧縮された状態で保持するようにし、輸送中または配送中にウォブルイメージ２０４が破損されることから保護するようにすることもできる。カードが配達されれば、利用者は着脱可能な付着材を簡単に取り外すことができ、スプリングを開放し、ウォブルイメージ２０４を動作可能な状態にする。挨拶カード１９６および１９８にはさらにマイクロチップを設け、記録されたメッセージや音楽および／または音声動作を提供することができる。
【００３７】
図３９および図４０は本発明に基づき、それ自身が配送される、セルフメーラー型の挨拶カード２０６が示されている。セルフメーラー型の挨拶カード２０６はスペーサーボックス２０８および挨拶パネル２１０を有する。スペーサーボックス２０８の四隅と挨拶パネル２１０の四隅にはフックとループのファスナーまたは着脱可能な接合ドット２１２を設け、配送中は挨拶カード２０６を一体構成になるように保持させることができる。スペーサーボックス２０８または挨拶パネル２１０のどちらかの外部の面には宛名を書く部分が設けられている。図４０に示すようにウォブルイメージ２１４はスプリング２１６を介してスペーサーボックス２０８のバックパネル２１５の内部に固定する。スペーサーボックスのフロントパネル２１８には切り抜き部が設けられ、フロントパネル２１８から突出するようにスプリング２１６は設けられている。スペーサーボックス２０８はスプリング２１６が適当に圧縮された状態であっても、スプリングの本来の動作特性を保てるように保持する。たとえば、スペーサーボックス２０８は約８分の３インチ（０．９５２５センチ）の厚みを有するようにしてもよい。さらにスペーサーボックス２０８は一つまたは複数のマイクロチップや、バッテリーや、その他のものを入れるための空間を提供するものでもある。
【００３８】
図４１は固定基板２２０の上に設けられるウォブルイメージを示す。たとえばウォブルイメージ２２２は磁石の固定部品を介して冷蔵庫に固着されるビジネスカード２２０に用いることができる。別の例として、ウォブルイメージ２２２は基板や掲示板の上に用いられることができる。また別の例または付加的要件としてウォブルイメージ２２２は黒板または掲示板として用いられることができる。黒板または掲示板は印画紙の上にプリントされたイメージを含み、その印画紙には個人的なメセージを含むことも可能である。そしてイメージの表面には、インクなどをぬぐい取り可能なフイルムが付着されている。したがって、文字やイメージをウォブルイメージの上に自由に描くことができる。固定基板（たとえばビジネスカード、黒板または掲示板）の上にはマイクロチップを含むことができ、プログラム可能な名前、時間、覚書、セールス表示などを描くことが可能である。
【００３９】
図４２および図４３において、ウォブルイメージは商業またはマーケッティングに用いられる例を示す。たとえば、ポスター２２４にはウォブルイメージとクーポンが設けられピザボックス２２８または同等なものに取り付けられた袋２２６中に入れて置くことができる。利用者は袋から折り畳まれたポスター２２４を取出し、ウォブルイメージおよび／またはクーポンをよみがえらせることができる。ウォブルイメージにはユニークで注目を浴びるデザインがなされており、セールスや他の宣伝用途に用いられる。たとえば、ウォブルイメージは、クーポンの配布、ポスター、マガジンおよび新聞の広告および他の広告用途に用いることができる。
【００４０】
図４４はウォブル部品を教育的用途に用いられた例を示す。ウォブル部品は子供にアルファベット、数字、歴史、地理、単語等を教える教材として用いることができる。ウォブル部品のウォブルアクションは子供達に興味を持続させる効果がある。たとえば、ボード２３０はアルファベットを表わすために用いることができる。複数のウォブルイメージ２３２を設け、これらのイメージの名前の頭文字をアルファベットの文字に対応させ、ゲーム感覚をそなえた装置を提供することができる。図示はされていないが、イメージ２３２のそれぞれにはイメージ２３２がウォブル動作を行なうための組立て部品が含まれている。ウォブルイメージ２３２には一つまたは複数のマイクロチップが設けられ、正しいウォブルイメージ２３２の文字が対応する正しいアルファベットの文字に置かれた時、音声による認証が発せられるようにすることもでき、これにより学習効果を上げることが可能である。
【００４１】
図４５および図４６は本発明に係るウォブル部品を衣類または身に付けるものに設けた例を示す。特に、図４５はウォブル部品２３４を帽子２３６に付けた例を示し、図４６はウォブル部品をセーター２４０に付けた例を示す。ウォブル部品２３４、２３８は図１で示したような組立て部品が設けられている。組立て部品は帽子２３６またはセーター２４０に対しフックおよびループタイプのファスナーまたは接着剤またはスナップ部品または他の適当な手段により固着させることができる。
【００４２】
以上ウォブル部品を種々の用途に用いられる例を示したが、ウォブル部品が用いられる用途はそれに限らず他の用途にも用いられることができ、それらはすべて本発明に含まれるものである。たとえば、ウォブル部品はＣＤやＤＶＤのケース、種々の衣類、装飾用の梱包部材（たとえば箱、缶、袋）、書籍等に用いることができる。
【００４３】
図４７はウォブル部品を組立てるためのキット２４２を示す。キット２４２は好きな絵をプリントするための写真用紙２４４および少なくとも一つのウォブル動作をする組立て部品２４６が含まれている。また種々のファスナー（図示せず）を含むことができ、それによりウォブルイメージを望みの構造物または表面に付着させることができる。たとえば、ファスナーとしてスナップ、フックおよびループのファスナー、磁石等を含めることができる。さらにキット２４４には一つまたは複数のアクション人形および／または背景２４８や、一つまたは複数のベース２５０等を含むこともでき、ベース２５０の上に人形やバック背景を組立てることができる。たとえばまたは追加的にキットには挨拶状を書くためのカード群（図示せず）を含めることも可能である。
【００４４】
図４８は別のキット２５２を示し、それによりウォブル物体を作ることができる。キット２５２には一つまたは複数のイメージをプリントする写真用紙２５４と、ウォブルアクションを行なう少なくとも一つの組立て部品２５６が含まれる。またキット２５２は少なくとも一つのイーゼル（写真立て用のベース）２５８を含むことも可能である。写真立て用ベース２５８は予め印刷された写真は貼ってあってもいいし、利用者が好きな写真を貼ることができるような構成であってもよい。組立て部品２５６は写真立て用基板２５８に印刷イメージを固定するように構成されている。
【００４５】
以上説明したのは本発明の例示的なものである。本発明を説明するためすべての可能な組合せや方法をここで開示することは不可能である。当業者が考え付く組合せや用途はすべて本発明に含まれるものである。したがって添付の請求の範囲に記載された範囲において含まれるすべての組合せや方法は本発明の範囲に含まれるものである。
【図面の簡単な説明】
【００４６】
【図１】本発明に係るウォブルヘッドの組立部品の斜視図である。
【図２】本発明の図１に示した組立部品の側面図である。
【図３】本発明の図１に示した組立部品の側面図である。
【図４】本発明のウォブルヘッド人形の側面図である。
【図５】本発明のウォブルヘッド人形の正面図である。
【図６】本発明の別のウォブルヘッド人形の正面図である。
【図７】図６で示したウォブルヘッド人形の側面図であって、本発明のマルチレベルまたはマルチウォブル部品の側面図を示す。
【図８】本発明に係るウォブルヘッド人形の一例の正面図である。
【図９】本発明のウォブルヘッド人形の別の一例の正面図である。
【図１０】本発明のウォブルヘッド人形の別の一例の正面図である。
【図１１】本発明のウォブルヘッド人形の別の一例の正面図である。
【図１２】本発明のウォブルヘッド人形の別の一例の正面図である。
【図１３】本発明に係る、１つのスロットを有するベースの斜視図である。
【図１４】本発明に係る、２つのスロットを有するベースの斜視図である。
【図１５】本発明に係る、複数のスロットを有するベースの斜視図である。
【図１６】本発明に係る、複数のスロットを有する階段状のベースの斜視図である。
【図１７】本発明に係る、多層型のウォブルヘッドの斜視図である。
【図１８】本発明に係るベースの斜視図である。
【図１９】本発明に係る別のベースの斜視図である。
【図２０】本発明に係る別のベースの斜視図である。
【図２１】本発明に係る別のベースの斜視図である。
【図２２】本発明に係る別のベースの斜視図である。
【図２３】本発明に係る別のベースの斜視図である。
【図２４】本発明に係る別のベースの斜視図である。
【図２５】本発明の回転可能なウォブルヘッド人形の側面図である。
【図２６】本発明に係る可動型ウォブル部品の斜視図である。
【図２７】図２６で示した本発明に係る可動型ウォブル部品の断面図である。
【図２８】図２６で示した本発明に係る可動型ウォブル部品の側面図である。
【図２９】本発明に係る可動型ウォブル部品の斜視図である。
【図３０】本発明に係るウォブルイメージのための組立部品の斜視図である。
【図３１】本発明に係るウォブルイメージの別の組立部品の斜視図である。
【図３２】本発明に係るウォブルイメージの別の組立部品の斜視図である。
【図３３】本発明に係るウォブルイメージの別の組立部品の斜視図である。
【図３４】本発明に係るウォブルイメージの曲げ用カム部品の斜視図である。
【図３５】本発明に係るウォブルイメージの振り子部品の斜視図である。
【図３６】図３４で示した本発明に係る振り子部品の側面図である。
【図３７】本発明に係るウォブルイメージを組み込んだグリティーングカードの斜視図である。
【図３８】本発明に係る可動型ウォブル写真の斜視図である。
【図３９】本発明に係るセルフメーラー型ウォブルイメージを組み込んだ挨拶カードの斜視図である。
【図４０】本発明に係るセルフメーラー型ウォブルイメージを組み込んだ挨拶カードの側面図である。
【図４１】本発明に係るウォブルイメージを組み込んだ固定板の斜視図である。
【図４２】本発明に係るウォブルイメージを組み込んだ宣伝用品の斜視図である。
【図４３】本発明に係るウォブルイメージを組み込んだポスターの正面図である。
【図４４】本発明に係るウォブルイメージを用いた教育用ゲーム器の図面である。
【図４５】本発明に係るウォブルイメージを帽子に用いた図面である。
【図４６】本発明に係るウォブルイメージを衣類に用いた図面である。
【図４７】本発明に係るウォブル物体を創作するキットの図面である。
【図４８】本発明に係るウォブル物体を創作する別のキットの図面である。
【図１】
2007525239.tif 000002
【図２】
2007525239.tif 000003
【図３】
2007525239.tif 000004
【図４】
2007525239.tif 000005
【図５】
2007525239.tif 000006
【図６】
2007525239.tif 000007
【図７】
2007525239.tif 000008
【図８】
2007525239.tif 000009
【図９】
2007525239.tif 000010
【図１０】
2007525239.tif 000011
【図１１】
2007525239.tif 000012
【図１２】
2007525239.tif 000013
【図１３】
2007525239.tif 000014
【図１４】
2007525239.tif 000015
【図１５】
2007525239.tif 000016
【図１６】
2007525239.tif 000017
【図１７】
2007525239.tif 000018
【図１８】
2007525239.tif 000019
【図１９】
2007525239.tif 000020
【図２０】
2007525239.tif 000021
【図２１】
2007525239.tif 000022
【図２２】
2007525239.tif 000023
【図２３】
2007525239.tif 000024
【図２４】
2007525239.tif 000025
【図２５】
2007525239.tif 000026
【図２６】
2007525239.tif 000027
【図２７】
2007525239.tif 000028
【図２８】
2007525239.tif 000029
【図２９】
2007525239.tif 000030
【図３０】
2007525239.tif 000031
【図３１】
2007525239.tif 000032
【図３２】
2007525239.tif 000033
【図３３】
2007525239.tif 000034
【図３４】
2007525239.tif 000035
【図３５】
2007525239.tif 000036
【図３６】
2007525239.tif 000037
【図３７】
2007525239.tif 000038
【図３８】
2007525239.tif 000039
【図３９】
2007525239.tif 000040
【図４０】
2007525239.tif 000041
【図４１】
2007525239.tif 000042
【図４２】
2007525239.tif 000043
【図４３】
2007525239.tif 000044
【図４４】
2007525239.tif 000045
【図４５】
2007525239.tif 000046
【図４６】
2007525239.tif 000047
【図４７】
2007525239.tif 000048
【図４８】
2007525239.tif 000049
【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
イメージ用の組み立て部品であって、
第１組み立て基板と、
前記第１組み立て基板に第１端部が固定され、第１組み立て部品に対し、実質垂直方向に設けられたスプリングと、
第１組み立て基板に固定されたイメージと
を有することを特徴とするイメージ用の組み立て部品。
【請求項２】
さらに、前記スプリングの第２端部に固定され、スプリングに対し実質垂直方向に設けられた第２組み立て基板を有することを特徴とする請求項１記載の組み立て部品。
【請求項３】
さらに、前記スプリングを第１組み立て基板に取り付けるためのスプリング台座を有することを特徴とする請求項１記載の組み立て部品。
【請求項４】
前記スプリング台座は、エポキシ樹脂で構成されていることを特徴とする請求項３記載の組み立て部品。
【請求項５】
前記イメージは、写真であることを特徴とする請求項１記載の組み立て部品。
【請求項６】
さらに、スプリングの第２端部に固定され、スプリングに対し、実質垂直になるように設けられた磁石を有することを特徴とする請求項１記載の組み立て部品。
【請求項７】
さらに、スプリングの第２端部に設けられたボタン用シュラウドを有することを特徴とする請求項１記載の組み立て部品。
【請求項８】
さらに、スプリングの第２端部に設けられたスナップ部品を有することを特徴とする請求項１記載の組み立て部品。
【請求項９】
さらに、スプリングの第２端部に設けられた吸着部品を有することを特徴とする請求項１記載の組み立て部品。
【請求項１０】
さらに、スプリングの第２端部に設けられ、音声又は画像の少なくともいずれか一方を出力するマイクロチップを有することを特徴とする請求項１記載の組み立て部品。
【請求項１１】
イメージ用の組み立て部品であって、
カムハウジング内に納められると共に、カムハウジングの第１側部から一部が突出するカムと、
カムハウジングから突出するカムの一部に固着された組み立て基板と、
カムハウジングの第２側部に固定されたイメージと
を有することを特徴とするイメージ用組み立て部品。
【請求項１２】
前記カムハウジングには、ハウジングの第１側部に湾曲スロットが形成され、湾曲スロットからカムの一部が突出することを特徴とする請求項１１記載の組み立て部品。
【請求項１３】
さらに、組み立て基板とカムの突出部を連結する振り子を有することを特徴とする請求項１１記載の組み立て部品。
【請求項１４】
前記振り子は、そのピボット点において、スプリングで付勢されていることを特徴とする請求項１３記載の組み立て部品。
【請求項１５】
ウォブルヘッド人形であって、
ボディと、
ボディの垂直面に対し直角に延在する少なくとも１つのスプリングを介してボディに取り付けられる少なくとも１つのイメージと
を有し、イメージは時計方向および反時計方向に回動可能に設けられたことを特徴とするウォブルヘッド人形。
【請求項１６】
前記ボディは、イメージが貼り付けられた板紙で構成されていることを特徴とする請求項１５記載のウォブルヘッド人形。
【請求項１７】
前記少なくとも１つのイメージは、写真であることを特徴とする請求項１５記載のウォブルヘッド人形。
【請求項１８】
さらに、ボディを保持するためのベースを有することを特徴とする請求項１５記載のウォブルヘッド人形。
【請求項１９】
前記ベースの上部には、ボディの下端部と係合するスロットが形成されていることを特徴とする請求項１８記載のウォブルヘッド人形。
【請求項２０】
前記ベースは、ウォブルヘッドを回転されるためのターンテーブル部を有することを特徴とする請求項１８記載のウォブルヘッド人形。
【請求項２１】
前記ターンテーブル部は、少なくとも、バッテリパワー、太陽電池のパワー、磁気によるパワー、電気によるパワー、マイクロチップによるパワー、手動によるパワーのいずれか１つにより駆動されることを特徴とする請求項２０記載のウォブルヘッド人形。
【請求項２２】
前記ボディの垂直面に対し直角に延在する少なくとも２つのスプリングを介して、それぞれボディに取り付けられる少なくとも２つのイメージを有することを特徴とする請求項１５記載のウォブルヘッド人形。
【請求項２３】
ウォブル物体を組み立てるためのキットであって、
所望のイメージを印刷する紙と、
イメージの裏面が固着される組み立て部品と
を有し、
該組み立て部品は、少なくとも１つの組み立て基板と、組み立て基板に対し実質垂直方向に設けられた少なくとも１つのスプリングとを有することを特徴とするキット。
【請求項２４】
さらに、前記組み立て部品とイメージを取り付けるために少なくとも１つのボディまたは背景を有することを特徴する請求２３に記載のキット。
【請求項２５】
さらに、ボディまたは背景を保持するためのベースを有することを特徴とする請求項２４に記載のキット。
【請求項２６】
さらに、挨拶状を書くためのカード群を有することを特徴とする請求項２３に記載のキット。
【請求項２７】
さらに、１つまたは複数の磁石を有することを特徴とする請求項２３に記載のキット。
【請求項２８】
さらに、１つまたは複数の写真立てを有することを特徴とする請求項２３に記載のキット。
【請求項２９】
さらに、前記組み立て部品とイメージを取り付けるために、予め印刷されたイメージを有することを特徴とする請求項２３に記載のキット。
【請求項３０】
さらに、前記組み立て部品とイメージを取り付けるために、少なくとも一冊の本を有することを特徴とする請求項２３に記載のキット。
【請求項３１】
前記スプリングは、実質平坦な端部を備えた圧縮スプリングであることを特徴とする請求項２３に記載のキット。
【請求項３２】
前記スプリングは、圧縮したときの高さが０．０９９インチ以下であることを特徴とする請求項２３に記載のキット。
【請求項３３】
挨拶カードであって、
凹部領域を備えたベースと、
凹部領域内に納められたウォブルイメージと、
ベースとウォブルイメージとの間に取り付けられるとともに、ピボット点として機能し、時計方向および反時計方向にウォブルイメージの動作を容易にする組み立て部品と
を有することを特徴とする挨拶カード。
【請求項３４】
さらに、前記ベースに取り付けられ、本のように前記ベースを折り包むようになされた挨拶カードパネルを有することを特徴とする請求項３３に記載の挨拶カード。
【請求項３５】
さらに、前記挨拶カードを密閉式に保持するフックおよびループのファスナーを有することを特徴とする請求項３４に記載の挨拶カード。
【請求項３６】
前記挨拶カードは、セルフメーラー型挨拶カードであり、宛名を書く部分が前記挨拶カードの外部の面に設けられることを特徴とする請求項３５に記載の挨拶カード。
【請求項３７】
前記組み立て部品は、ベースとウォブルイメージとの間で実質垂直に組み立てられたスプリングを含むことを特徴とする請求項３３に記載の挨拶カード。
【請求項３８】
前記スプリングは、圧縮したときの高さが０．０９９インチ以下であることを特徴とする請求項３７に記載の挨拶カード。
【請求項３９】
さらに、記録されたメッセージ、音楽、および音声動作の少なくとも１つを提供することを特徴とする請求項３３に記載の挨拶カード。
【請求項４０】
設計自在なウォブル部品であって、
背景イメージと、
前記背景イメージに対し、時計方向および反時計方向に交互にウォブル動作を行うようになされるウォブルイメージと
を有することを特徴とする設計自在なウォブル部品。
【請求項４１】
前記背景イメージは、広告であり、
前記ウォブルイメージは、前記広告と前記ウォブルイメージとの間に垂直に組み立てられたスプリングを介し、前記広告に取り付けられたことを特徴とする請求項４０に記載の設計自在なウォブル部品。
【請求項４２】
前記スプリングは、圧縮したときの高さが０．０９９インチ以下であることを特徴とする請求項４１に記載の設計自在なウォブル部品。
【請求項４３】
前記背景イメージは、黒板または掲示板であることを特徴とする請求項４１に記載の設計自在なウォブル部品。
【請求項４４】
さらに、前記背景イメージと前記ウォブルイメージの少なくとも１つの表面に、フィルム層を有することを特徴とする請求項４１に記載の設計自在なウォブル部品。
【請求項４５】
さらに、マイクロチップ、バッテリ、および太陽電池の少なくとも１つを有することを特徴とする請求項４０に記載の設計自在なウォブル部品。
【請求項４６】
教育用玩具であって、
背景イメージと、
ウォブルイメージと、
前記ウォブルイメージを前記背景イメージに取り付ける組み立て部品と
を有し、
前記ウォブルイメージは、前記背景イメージに対し、時計方向および反時計方向に交互にウォブル動作を行うことが可能であり、
前記背景イメージと前記ウォブルイメージの少なくとも１つは、少なくとも１つのしるしを含むことを特徴とする教育用玩具。
【請求項４７】
前記少なくとも１つのしるしは、ＡないしＺの文字を含むことを特徴とする請求項４６に記載の教育用玩具。
【請求項４８】
前記少なくとも１つのしるしは、１ないし９の数字を含むことを特徴とする請求項４６に記載の教育用玩具。
【請求項４９】
前記少なくとも１つのしるしは、教育的情報を含むことを特徴とする請求項４６に記載の教育用玩具。
【請求項５０】
前記背景イメージおよび前記ウォブルイメージは、教育書で既定されることを特徴とする請求項４６に記載の教育用玩具。
【請求項５１】
さらに、学習効果に関し音声による認証を発する１つまたは複数のマイクロチップを有することを特徴とする請求項４６に記載の教育用玩具。
【請求項５２】
前記スプリングは、圧縮したときの高さが０．０９９インチ以下であることを特徴とする請求項１に記載の組み立て部品。
【請求項５３】
前記第１組み立て基板は、
接合材層と、
前記接合材層上に提供される着脱可能なフィルム層と
を含むことを特徴とする請求項１に記載の組み立て部品。
【請求項５４】
さらに、前記スプリングの第２端部に固定されたフックおよびループのファスナーを有することを特徴とする請求項１に記載の組み立て部品。
【請求項５５】
前記第２組み立て基板は、
接合材層と、
前記接合材層上に提供される着脱可能なフィルム層と
を含むことを特徴とする請求項２に記載の組み立て部品。
【請求項５６】
前記ボディは、プラスチック材料で構成されていることを特徴とする請求項１５に記載のウォブルヘッド人形。
【請求項５７】
前記ボディは、木材および金属材料の少なくとも１つで構成されていることを特徴とする請求項１５に記載のウォブルヘッド人形。
【請求項５８】
さらに、マイクロチップ、バッテリ、および太陽電池の少なくとも１つを有することを特徴とする請求項１５に記載のウォブルヘッド人形。